(57)【要約】【課題】放射線画像データの付帯情報を容易に生成することである。【解決手段】医用画像撮影システム１は、ＦＰＤ１０と、ＦＰＤ１０に通信接続される携帯端末２０と、を備える。ＦＰＤ１０は、入射された放射線から放射線画像データを生成する放射線撮像手段と、生成された放射線画像データを記憶する第１の記憶手段と、を有する。携帯端末２０は、生成された放射線画像データに対応する付帯情報の操作入力を受け付ける操作手段と、操作入力された付帯情報をＦＰＤ１０に送信する第１の制御手段と、を有する。ＦＰＤ１０は、付帯情報を受信し、付帯情報を前記記憶された放射線画像データに対応付けて第１の記憶手段に記憶する第２の制御手段を有する。【選択図】図１
2020151338.tif 000002
【特許請求の範囲】
【請求項１】
入射された放射線から放射線画像データを生成する撮像手段と、
前記生成された放射線画像データを記憶する第１の記憶手段と、を有する放射線画像撮影装置と、
前記放射線画像撮影装置に通信接続される携帯端末と、を備え、
前記携帯端末は、
前記生成された放射線画像データに対応する付帯情報の操作入力を受け付ける操作手段と、
前記操作入力された付帯情報を前記放射線画像撮影装置に送信する第１の制御手段と、を有し、
前記放射線画像撮影装置は、
前記付帯情報を受信し、当該付帯情報を前記記憶された放射線画像データに対応付けて前記第１の記憶手段に記憶する第２の制御手段を有する医用画像撮影システム。
【請求項２】
前記付帯情報は、複数の放射線画像データをグルーピングするための区切識別情報を含む請求項１に記載の医用画像撮影システム。
【請求項３】
前記携帯端末は、
表示手段を有し、
前記第１の制御手段は、前記生成された放射線画像データを前記放射線画像撮影装置から受信して前記表示手段に表示させる請求項１又は２に記載の医用画像撮影システム。
【請求項４】
前記第２の制御手段は、前記撮像手段により放射線画像データが生成された場合に、当該生成された放射線画像データに画像識別情報を付与し、当該放射線画像データを当該画像識別情報に対応付けて前記第１の記憶手段に記憶し、当該放射線画像データ及び当該画像識別情報を前記携帯端末に送信し、
前記第１の制御手段は、前記放射線画像データ及び前記画像識別情報を前記放射線画像撮影装置から受信して当該放射線画像データを前記表示手段に表示させ、
前記操作手段は、前記表示された放射線画像データに対応する付帯情報の操作入力を受け付け、
前記第１の制御手段は、前記操作入力された付帯情報と当該付帯情報に対応する画像識別情報とを前記放射線画像撮影装置に送信し、
前記第２の制御手段は、前記送信された付帯情報及び画像識別情報を受信し、当該画像識別情報を用いて、前記記憶された放射線画像データに当該付帯情報を対応付けて前記第１の記憶手段に記憶する請求項３に記載の医用画像撮影システム。
【請求項５】
前記第１の制御手段は、前記受信された放射線画像データに、前記放射線画像撮影装置に依存する補正処理と、階調処理と、間引き処理との少なくとも１つの画像処理を施して前記表示手段に表示させる請求項３又は４に記載の医用画像撮影システム。
【請求項６】
前記第１の制御手段は、前記放射線画像撮影装置に関する情報を当該放射線画像撮影装置から受信して前記表示手段に表示させる請求項３から５のいずれか一項に記載の医用画像撮影システム。
【請求項７】
前記付帯情報は、前記生成された放射線画像データの写損の有無を示す写損識別情報と、前記生成された放射線画像データに施す回転の方向及び量を示す画像回転情報と、前記生成された放射線画像データに施す反転の方向を示す画像反転情報と、の少なくとも１つを含む請求項１から６のいずれか一項に記載の医用画像撮影システム。
【請求項８】
前記付帯情報は、前記生成された放射線画像データが再撮影であることを示す再撮影識別情報と、前記生成された放射線画像データに対応する患者に関する患者情報と、前記生成された放射線画像データに対応するテキスト情報と、前記生成された放射線画像データに対応する操作者に関する操作者情報と、の少なくとも１つを含む請求項１から７のいずれか一項に記載の医用画像撮影システム。
【請求項９】
前記放射線画像撮影装置に通信接続される撮影制御装置を備え、
前記撮影制御装置は、
第２の記憶手段と、
前記放射線画像データの撮影後に、前記第１の記憶手段に記憶されている放射線画像データ及び付帯情報を前記放射線画像撮影装置から受信して前記第２の記憶手段に保存する第３の制御手段と、を有する請求項１から５のいずれか一項に記載の医用画像撮影システム。
【請求項１０】
前記第３の制御手段は、前記放射線画像データ及び付帯情報を前記第２の記憶手段に保存後に、当該保存の保存完了情報を前記放射線画像撮影装置に送信し、
前記第２の制御手段は、前記保存完了情報を受信後に、前記保存された放射線画像データ及び付帯情報を前記第１の記憶手段から消去する請求項９に記載の医用画像撮影システム。
【発明の詳細な説明】
【技術分野】
【０００１】
本発明は、医用画像撮影システムに関する。
【背景技術】
【０００２】
従来、医師、技師などの操作者が、病棟などの回診先で、放射線画像撮影装置としてのＦＰＤ（Flat Panel Detector）を用いて、患者の放射線撮影を行う回診撮影が知られている。操作者は、放射線発生装置を有する回診車と、ＦＰＤと、を回診先に持ち込み、放射線発生装置から出射された放射線を患者に照射し、当該患者を透過した放射線をＦＰＤで画像化して放射線画像データを生成することにより、放射線撮影を行う。
【０００３】
回診先の撮影対象の患者は複数いる場合があり、撮影した複数の放射線画像データを患者ごとにグループ分けする必要がある。このため、操作者は、撮影時に各患者及び撮影の特徴情報を紙にメモしておき、撮影後にＦＰＤから放射線画像データを撮影制御装置に取り込む段階で、操作者が各放射線画像を見て手動で、患者と放射線画像データとを紐付けていた。
【０００４】
しかし、操作者が紙のメモを取らねばならず、またＦＰＤの画像カウンターをいちいち確認せねばならないため、操作者の作業が煩雑であった。このため、患者の放射線撮影時に、放射線画像撮影装置に設けられた操作ボタンを操作者が操作すること、又は放射線画像撮影装置の姿勢の変化に応じて、患者の区切情報としてダミー画像を生成する放射線画像撮影システムが知られている（特許文献１参照）。
【先行技術文献】
【特許文献】
【０００５】
【特許文献１】特開２０１６−１３５２３１号公報
【発明の概要】
【発明が解決しようとする課題】
【０００６】
しかし、特許文献１に記載の放射線画像撮影システムでは、放射線画像撮影装置に操作ボタンや専用のセンサーを準備する必要があり、放射線画像撮影装置のコストアップや操作者の運用環境条件によるセンサーの精度が保証できない場合がある。その場合、区切情報が実際の検査と異なった情報となり、患者取り違いのリスクが発生してしまう。したがって、放射線画像撮影装置から撮影制御装置に放射線画像データと区切情報を取り込む際に、操作者は慎重に確認しながら、取り込む必要があり、その作業が煩雑であった。このため、放射線画像データに付帯させる区切情報などの付帯情報を容易に生成する要請がある。
【０００７】
本発明の課題は、放射線画像データの付帯情報を容易に生成することである。
【課題を解決するための手段】
【０００８】
上記課題を解決するため、請求項１に記載の発明の医用画像撮影システムは、
入射された放射線から放射線画像データを生成する撮像手段と、
前記生成された放射線画像データを記憶する第１の記憶手段と、を有する放射線画像撮影装置と、
前記放射線画像撮影装置に通信接続される携帯端末と、を備え、
前記携帯端末は、
前記生成された放射線画像データに対応する付帯情報の操作入力を受け付ける操作手段と、
前記操作入力された付帯情報を前記放射線画像撮影装置に送信する第１の制御手段と、を有し、
前記放射線画像撮影装置は、
前記付帯情報を受信し、当該付帯情報を前記記憶された放射線画像データに対応付けて前記第１の記憶手段に記憶する第２の制御手段を有する。
【０００９】
請求項２に記載の発明は、請求項１に記載の医用画像撮影システムにおいて、
前記付帯情報は、複数の放射線画像データをグルーピングするための区切識別情報を含む。
【００１０】
請求項３に記載の発明は、請求項１又は２に記載の医用画像撮影システムにおいて、
前記携帯端末は、
表示手段を有し、
前記第１の制御手段は、前記生成された放射線画像データを前記放射線画像撮影装置から受信して前記表示手段に表示させる。
【００１１】
請求項４に記載の発明は、請求項３に記載の医用画像撮影システムにおいて、
前記第２の制御手段は、前記撮像手段により放射線画像データが生成された場合に、当該生成された放射線画像データに画像識別情報を付与し、当該放射線画像データを当該画像識別情報に対応付けて前記第１の記憶手段に記憶し、当該放射線画像データ及び当該画像識別情報を前記携帯端末に送信し、
前記第１の制御手段は、前記放射線画像データ及び前記画像識別情報を前記放射線画像撮影装置から受信して当該放射線画像データを前記表示手段に表示させ、
前記操作手段は、前記表示された放射線画像データに対応する付帯情報の操作入力を受け付け、
前記第１の制御手段は、前記操作入力された付帯情報と当該付帯情報に対応する画像識別情報とを前記放射線画像撮影装置に送信し、
前記第２の制御手段は、前記送信された付帯情報及び画像識別情報を受信し、当該画像識別情報を用いて、前記記憶された放射線画像データに当該付帯情報を対応付けて前記第１の記憶手段に記憶する。
【００１２】
請求項５に記載の発明は、請求項３又は４に記載の医用画像撮影システムにおいて、
前記第１の制御手段は、前記受信された放射線画像データに、前記放射線画像撮影装置に依存する補正処理と、階調処理と、間引き処理との少なくとも１つの画像処理を施して前記表示手段に表示させる。
【００１３】
請求項６に記載の発明は、請求項３から５のいずれか一項に記載の医用画像撮影システムにおいて、
前記第１の制御手段は、前記放射線画像撮影装置に関する情報を当該放射線画像撮影装置から受信して前記表示手段に表示させる。
【００１４】
請求項７に記載の発明は、請求項１から６のいずれか一項に記載の医用画像撮影システムにおいて、
前記付帯情報は、前記生成された放射線画像データの写損の有無を示す写損識別情報と、前記生成された放射線画像データに施す回転の方向及び量を示す画像回転情報と、前記生成された放射線画像データに施す反転の方向を示す画像反転情報と、の少なくとも１つを含む。
【００１５】
請求項８に記載の発明は、請求項１から７のいずれか一項に記載の医用画像撮影システムにおいて、
前記付帯情報は、前記生成された放射線画像データが再撮影であることを示す再撮影識別情報と、前記生成された放射線画像データに対応する患者に関する患者情報と、前記生成された放射線画像データに対応するテキスト情報と、前記生成された放射線画像データに対応する操作者に関する操作者情報と、の少なくとも１つを含む。
【００１６】
請求項９に記載の発明は、請求項１から５のいずれか一項に記載の医用画像撮影システムにおいて、
前記放射線画像撮影装置に通信接続される撮影制御装置を備え、
前記撮影制御装置は、
第２の記憶手段と、
前記放射線画像データの撮影後に、前記第１の記憶手段に記憶されている放射線画像データ及び付帯情報を前記放射線画像撮影装置から受信して前記第２の記憶手段に保存する第３の制御手段と、を有する。
【００１７】
請求項１０に記載の発明は、請求項９に記載の医用画像撮影システムにおいて、
前記第３の制御手段は、前記放射線画像データ及び付帯情報を前記第２の記憶手段に保存後に、当該保存の保存完了情報を前記放射線画像撮影装置に送信し、
前記第２の制御手段は、前記保存完了情報を受信後に、前記保存された放射線画像データ及び付帯情報を前記第１の記憶手段から消去する。
【発明の効果】
【００１８】
本発明によれば、放射線画像データの付帯情報を容易に生成できる。
【図面の簡単な説明】
【００１９】
【図１】本発明の実施の形態の医用画像撮影システムを示すブロック図である。
【図２】回診先における医用画像撮影システムの一部の構成を示す図である。
【図３】ＦＰＤの機能構成を示すブロック図である。
【図４】携帯端末の機能構成を示すブロック図である。
【図５】撮影制御装置の機能構成を示すブロック図である。
【図６】ＦＰＤ、携帯端末及び撮影制御装置の動作を示すシーケンス図である。
【図７】２つのグループに区切られた複数の放射線画像データを示す図である。
【発明を実施するための形態】
【００２０】
添付図面を参照して、本発明に係る実施の形態を説明する。なお、本発明は、図示例に限定されるものではない。
【００２１】
まず、図１及び図２を参照して、本実施の形態の全体の装置構成を説明する。図１は、本実施の形態の医用画像撮影システム１を示すブロック図である。図２は、回診先２における医用画像撮影システム１の一部の構成を示す図である。
【００２２】
医用画像撮影システム１は、病院などの医療施設に設けられ、例えば、病棟、集中治療室、手術室などの回診先に在室している移動が困難な患者を被検体として放射線撮影としてのＸ線撮影を行う回診撮影用の撮影システムである。図１に示すように、医用画像撮影システム１は、放射線画像撮影装置としてのＦＰＤ１０と、携帯端末２０と、回診車３０と、撮影制御装置４０と、クレードル５０と、を備える。
【００２３】
図２に示すように、医師、技師などの操作者６は、回診撮影の際に、ＦＰＤ１０、携帯端末２０及び回診車３０を回診先２に持ち込む。回診車３０は、車輪を有し、例えば医療施設内を自在に移動可能であり、放射線発生装置３１０と、放射線発生制御装置３２０と、ポケット３３０と、を搭載している。放射線発生装置３１０は、放射線源３１１と、被爆スイッチ３１２と、を有する。
【００２４】
放射線源３１１は、放射線を照射するポータブルの放射線源である。被爆スイッチ３１２は、放射線源３１１に対して放射線の照射開始の指示の押下入力を受け付けるスイッチである。
【００２５】
放射線発生制御装置３２０は、制御部と、表示部と、操作者６の操作入力を受け付ける操作部と、放射線発生装置３１０との通信部と、を有する。放射線発生制御装置３２０は、操作部を介して操作者６から入力された放射線の発生の条件情報などの操作情報に応じて、通信部を介して放射線発生装置３１０を制御し、放射線源３１１から放射線を発生させて、放射線撮影を行う。放射線発生制御装置３２０は、操作情報などを表示部に表示するが、ＦＰＤ１０で生成された放射線画像データを表示部に表示する機能はない。このため、医用画像撮影システム１は、回診車３０に放射線画像データの表示機能を有する回診撮影制御装置（コンソール）を搭載する構成に比べて、コストダウンを実現でき、回診撮影制御装置の放射線画像データの表示機能に関する部分が故障して回診撮影が継続できなくなることを防ぐことができる。
【００２６】
ポケット３３０は、ＦＰＤ１０を収納する。ＦＰＤ１０は、操作者６が持参してもよいが、ＦＰＤ１０は比較的重く、落下すると壊れたり故障したりする可能性があるため、ポケット３３０に挿入されて回診車３０により搬送できるようになっている。
【００２７】
操作者６は、携帯端末２０を携帯している。携帯端末２０が放射線撮影の妨げとならないようにするために、例えば、ストラップ２０ａで操作者６の首からぶら下げるようにすることが好ましい。
【００２８】
ＦＰＤ１０は、カセッテ型で可搬型の放射線検出装置であり、放射線画像データの生成及び記憶機能と、携帯端末２０との無線ＬＡＮ（Local Area Network）通信機能と、Ｗｅｂサーバー機能と、を有する。また、ＦＰＤ１０は、放射線を検出すると、自動で放射線画像データを生成するタイプのものとするが、これに限定されるものではない。また、ＦＰＤ１０は、図１、図２で１台が代表して記載されているが、複数台あってもよい。
【００２９】
携帯端末２０は、例えば、タブレットＰＣ（Personal Computer）からなり、操作者の放射線撮影に関する情報及び放射線画像データの付帯情報の操作入力を受け付ける機能と、ＦＰＤ１０及び回診車３０との無線ＬＡＮ通信機能と、を有する。携帯端末２０は、タブレットＰＣに限定されるものではなく、スマートフォン、ノートＰＣなど、他の携帯型の端末装置としてもよい。また、携帯端末２０は、回診撮影用の専用機とするが、これに限定されるものではなく、汎用機を用いる構成としてもよい。
【００３０】
操作者６は、ＦＰＤ１０を、例えばベッド４に寝ている患者の被検体５とベッド４との間、又は、図示しないベッド４の被検体５と反対面に設けられた挿入口に差し込むなどした状態で、被爆スイッチ３１２をオンすることで、放射線発生装置３１０の放射線源３１１から放射線を被検体５の撮影対象部位である例えば足部に照射して、被検体５の放射線撮影を行う。
【００３１】
ＦＰＤ１０は、放射線発生装置３１０から被検体５に照射された放射線に応じて、放射線画像データを生成して記憶する。このようにして、回診先２の複数の患者の被検体が放射線撮影され、複数の患者の放射線画像データがＦＰＤ１０に一旦記憶される。このとき、操作者６は、携帯端末２０への操作入力により、複数の放射線画像データを患者ごとのグループの区切識別情報などの付帯情報を生成し、ＦＰＤ１０の放射線画像データに対応付けて記憶させる。
【００３２】
図１に示すように、撮影制御装置４０及びクレードル５０は、放射線撮影の撮影室３に設置されているものとする。撮影制御装置４０は、撮影室３内の撮影装置を用いた通常の放射線撮影用のコンソールであり、例えばワークステーションで構成される。また、撮影制御装置４０は、撮影室３内の通常の放射線撮影又は回診先２の回診撮影で生成された放射線画像データを記憶する。クレードル５０は、撮影制御装置４０に接続されており、ＦＰＤ１０が載置されて電気的に接続された場合に、ＦＰＤ１０に電源電力を供給するとともに、ＦＰＤ１０と撮影制御装置４０との通信を中継する。
【００３３】
回診先２での放射線撮影後、操作者６は、ＦＰＤ１０を撮影室３に持ち込み、クレードル５０に載置して接続させる。撮影制御装置４０は、クレードル５０を介して、ＦＰＤ１０に記憶されている放射線画像データ、付帯情報などをＦＰＤ１０から受信して取り込む。
【００３４】
ついで、図３〜図５を参照して、ＦＰＤ１０、携帯端末２０及び撮影制御装置４０の内部の機能構成を説明する。図３は、ＦＰＤ１０の機能構成を示すブロック図である。図４は、携帯端末２０の機能構成を示すブロック図である。図５は、撮影制御装置４０の機能構成を示すブロック図である。
【００３５】
図３に示すように、ＦＰＤ１０は、第２の制御手段としての制御部１１と、操作部１２と、第１の記憶手段としての記憶部１３と、撮像手段としての放射線撮像部１４と、無線通信部１５と、有線通信部１６と、を有する。ＦＰＤ１０の各部は、バス１７を介して接続されている。
【００３６】
制御部１１は、ＣＰＵ（Central Processing Unit）、ＲＡＭ（Random Access Memory）などにより構成される。制御部１１のＣＰＵは、記憶部１３に記憶されているシステムプログラムや各種処理プログラムを読み出してＲＡＭ内に展開し、展開されたプログラムに従って、ＦＰＤ１０の各部を制御する。
【００３７】
操作部１２は、スイッチなどで構成され、操作者からのメモリーモード又は通常モードの選択などの操作入力を受け付け、その操作情報を制御部１１に出力する。メモリーモードは、回診先などで、撮影ごとに生成される放射線画像データをＦＰＤ１０の内部のメモリーとしての記憶部１３に記憶していくモードである。通常モードとは、放射線撮影により放射線画像データを１枚生成すると、当該放射線画像データをコンソール（撮影制御装置４０）に送信することを繰り返すモードである。
【００３８】
記憶部１３は、フラッシュメモリーなどの不揮発性の半導体メモリーなどにより構成され、制御部１１で実行される各種プログラムや各種データを記憶する。特に、記憶部１３は、放射線撮像部１４で生成された放射線画像データ及びその付帯情報を記憶する。
【００３９】
放射線撮像部１４は、直接変換方式として、放射線を直接電気信号に変換するＣＭＯＳ（Complementary Metal Oxide Semiconductor）イメージセンサーなどの撮像素子から構成され、又は間接変換方式として、硫酸ガドリニウムやヨウ化セシウムなどの蛍光体と、蛍光体を入射した放射線で励起して発生した光を電荷として取得するフォトダイオードなどの撮像素子とで構成される。放射線撮像部１４は、制御部１１の制御に従って、被検体を介して入射された放射線に応じて撮像素子により放射線画像データを生成し、記憶部１３に出力し記憶させる。
【００４０】
無線通信部１５は、アンテナ、変復調部、信号処理部などを有し、無線ＬＡＮ通信方式で、携帯端末２０などの外部機器と無線通信を行う。また、無線通信部１５は、無線ＬＡＮ通信のアクセスポイントとして機能するものとする。制御部１１は、無線通信部１５を介して、携帯端末２０、回診車３０のコンソールなどの外部機器と無線通信を行う。しかし、この構成に限定されるものではなく、アクセスポイントが、回診先２内外や、回診車３０などに設けられ、当該アクセスポイントを介して、ＦＰＤ１０と携帯端末２０とが無線通信する構成としてもよい。
【００４１】
有線通信部１６は、クレードル５０に接続される端子を含む有線通信部である。制御部１１は、有線通信部１６、クレードル５０を介して撮影制御装置４０と有線通信を行う。
【００４２】
また、ＦＰＤ１０は、ＦＰＤ１０の各部に電源電力を供給する２次電池などの図示しないバッテリーを有する。
【００４３】
図４に示すように、携帯端末２０は、第１の制御手段としての制御部２１と、操作手段としての操作部２２と、記憶部２３と、表示手段としての表示部２４と、無線通信部２５と、を備える。携帯端末２０の各部は、バス２６を介して接続されている。
【００４４】
制御部２１は、ＣＰＵ、ＲＡＭなどにより構成される。制御部２１のＣＰＵは、記憶部２３に記憶されているシステムプログラムや各種処理プログラムを読み出してＲＡＭ内に展開し、展開されたプログラムに従って、携帯端末２０の各部を制御する。
【００４５】
操作部２２は、表示部２４の表示画面に一体的に設けられたタッチパネルで構成され、操作者からのタッチ入力を受け付け、その操作情報を制御部２１に出力する。
【００４６】
記憶部２３は、フラッシュメモリーなどの不揮発性の半導体メモリーなどにより構成される。記憶部２３は、制御部２１で実行される各種プログラムや各種データを記憶する。
【００４７】
表示部２４は、ＬＣＤ（Liquid Crystal Display）、ＥＬ（Electro-Luminescence）ディスプレイなどにより構成され、制御部２１からの表示指示に従い、各種情報を表示する。
【００４８】
無線通信部２５は、アンテナ、変復調部、信号処理部などを有し、無線ＬＡＮ通信方式、モバイル通信方式で、外部機器と無線通信を行う。特に、制御部２１は、無線通信部２５を介して、ＦＰＤ１０などの外部機器と無線ＬＡＮ通信方式で無線通信を行う。
【００４９】
図５に示すように、撮影制御装置４０は、第３の制御手段としての制御部４１と、操作部４２と、第２の記憶手段としての記憶部４３と、表示部４４と、有線通信部４５と、通信部４６と、を有する。撮影制御装置４０の各部は、バス４７を介して接続されている。
【００５０】
制御部４１は、ＣＰＵ、ＲＡＭなどにより構成される。制御部４１のＣＰＵは、記憶部４３に記憶されているシステムプログラムや各種処理プログラムを読み出してＲＡＭ内に展開し、展開されたプログラムに従って、撮影制御装置４０の各部を制御する。
【００５１】
操作部４２は、カーソルキー、数字入力キー、及び各種機能キーなどを備えたキーボードと、マウスなどのポインティングデバイスとを備えて構成され、キーボードに対するキー操作やマウス操作により入力された指示情報を制御部４１に出力する。また、操作部４２は、表示部４４の表示画面に一体的に構成されたタッチパネルを備えてもよく、この場合、タッチパネルを介してタッチ入力された操作情報を制御部４１に出力する。
【００５２】
記憶部４３は、ＨＤＤ（Hard Disk Drive）、ＳＳＤ（Solid State Drive）などの情報の読み出し及び書き込みが可能な記憶部で構成されている。記憶部４３は、制御部４１で実行される各種プログラムや各種データを記憶する。特に、記憶部４３は、クレードル５０を介してＦＰＤ１０から取り込まれた放射線画像データ及び付帯情報が記憶される。
【００５３】
表示部４４は、ＬＣＤ、ＥＬディスプレイなどにより構成され、制御部４１からの表示指示に従い、各種情報を表示する。
【００５４】
有線通信部４５は、クレードル５０に有線接続され、クレードル５０に接続されたＦＰＤ１０と制御部４１との間の通信を介する有線通信部である。通信部４６は、撮影室内の撮影装置、ＰＡＣＳ（Picture Archiving and Communication Systems）の画像管理サーバーなどと通信ネットワークを介して通信を行う通信部である。
【００５５】
つぎに、図６及び図７を参照して、医用画像撮影システム１の動作を説明する。図６は、ＦＰＤ１０、携帯端末２０及び撮影制御装置４０の動作を示すシーケンス図である。図７は、グループＧＡ，ＧＢに区切られた放射線画像データ６１〜６５を示す図である。
【００５６】
予め、操作者は、少なくとも１台のＦＰＤ１０と、携帯端末２０及び回診車３０とを回診先に持ち込む。そして、操作者は、ＦＰＤ１０の操作部１２への操作入力により、ＦＰＤ１０をメモリーモードに設定しておく。
【００５７】
図６に示すように、まず、ＦＰＤ１０の制御部１１は、Ｗｅｂサーバーとして起動する。また、携帯端末２０の制御部２１は、操作部２２を介する操作者からの接続指示に応じて、ブラウザープログラムを起動し、当該起動したブラウザーから、無線通信部２５を介するＷｅｂサーバーとしてのＦＰＤ１０と通信接続し通信を確立する（ステップＳ１）。ステップＳ１により、少なくとも１台のＦＰＤ１０が携帯端末２０と通信接続される。
【００５８】
そして、通信接続されたＦＰＤ１０の制御部１１は、無線通信部１５を介して、自装置の装置情報を携帯端末２０に送信する（ステップＳ２）。装置情報は、ＦＰＤ１０の固有ＩＤ、名称、属性（サイズなど）などの情報である。
【００５９】
そして、ＦＰＤ１０の制御部１１は、無線通信部１５を介して、自装置の状態情報を携帯端末２０に送信する（ステップＳ３）。状態情報は、自装置のＦＰＤ１０の、バッテリーの充電状態、無線通信の接続状態、記憶部１３に保存されている放射線画像データ枚数／最大保存枚数、撮影可否を示す状態、記憶部１３に保存されている撮像した全放射線画像データの画像ＩＤごとのサムネイル画像リストなどの情報である。携帯端末２０の制御部２１は、無線通信部２５を介して、装置情報及び状態情報をＦＰＤ１０から受信し、表示部２４に表示する。携帯端末２０の制御部２１は、無線通信部２５を介して、状態情報をＦＰＤ１０から受信し、ステップＳ２で取得した装置情報とともに表示部２４に表示する。
【００６０】
操作者は、回診撮影のための情報を放射線発生制御装置３２０の操作部に入力し、そして、操作者は、放射線撮影用に、放射線源３１１及びＦＰＤ１０の位置を調整する。放射線発生制御装置３２０は、操作情報などに応じて、放射線発生装置３１０を制御する。そして、放射線発生制御装置３２０は、操作者により被爆スイッチ３１２が押下入力されたことをトリガーとして、放射線発生装置３１０に放射線源３１１から放射線を被検体に照射させる。
【００６１】
ＦＰＤ１０の制御部１１は、放射線撮像部１４により、放射線発生装置３１０から被検体に照射され透過された放射線を検出すると、当該透過された放射線に応じた放射線画像データを生成する（ステップＳ４）。
【００６２】
そして、ＦＰＤ１０の制御部１１は、ステップＳ４で生成された放射線画像データに画像ＩＤを付与し、当該生成された放射線画像データを画像ＩＤに対応付けて放射線画像データを記憶部１３に保存する（ステップＳ５）。画像ＩＤは、放射線画像データの識別情報であり、例えば、１，２，３…などの昇順のカウント値とする。なお、ステップＳ５では、ＦＰＤ１０依存のオフセット、ゲインなどの補正処理を実施し、その後記憶部１３に保存してもよい。
【００６３】
そして、ＦＰＤ１０の制御部１１は、無線通信部１５を介して、ステップＳ５で保存された画像ＩＤ及び放射線画像データを携帯端末２０に送信する（ステップＳ６）。携帯端末２０の制御部２１は、無線通信部２５を介して、画像ＩＤ及び放射線画像データをＦＰＤ１０から受信する。
【００６４】
そして、携帯端末２０の制御部２１は、ステップＳ６で受信した放射線画像データをプレビュー用に画像処理を施して、ステップＳ６で受信した画像ＩＤとともに表示部２４のブラウザー画面に表示する（ステップＳ７）。ステップＳ７の画像処理は、例えば、ＦＰＤ１０依存の欠陥などの補正処理、階調処理、間引き処理（縮小処理）の少なくとも１つである。なお、制御部２１は、操作部２２を介する操作者からの拡大、縮小、回転又は反転の指示情報の入力に応じて、表示中の放射線画像データを拡大、縮小、回転又は反転して表示部２４のブラウザー画面に表示可能な構成とする。また、ステップＳ７では、ステップＳ２で受信されたＦＰＤ１０の装置情報及びステップＳ３で受信されたＦＰＤ１０の状態情報も、表示部２４のブラウザー画面に表示される構成としてもよい。
【００６５】
そして、携帯端末２０の制御部２１は、操作部２２を介して、ステップＳ７で表示された放射線画像データに対応する付帯情報の入力を受け付ける（ステップＳ８）。付帯情報は、
・複数の放射線画像データについて、同一患者を１グループとして区切るための区切識別情報、
・放射線画像データが写損画像であることを示す写損識別情報、
・放射線画像データが、写損後に再撮影した再撮影画像であることを示す再撮影識別情報、
・患者情報、
・テキスト情報、
・画像回転情報、画像反転情報、
・操作者情報、
の少なくとも１つが含まれる。
【００６６】
図７を参照して、付帯情報を説明する。図７に示すように、放射線画像データ６１〜６５が順に撮影されたものとする。放射線画像データ６１〜６５には、ステップＳ８で入力された付帯情報７１〜７５が対応付けられている。例えば、付帯情報７１〜７５は、それぞれ、放射線画像データ６１〜６５に含められるものとするが、別々のデータとしてもよい。
【００６７】
放射線画像データ６１〜６３が患者Ａを被検体としたものであり、放射線画像データ６４，６５が患者Ｂを被検体としたものである。このため、放射線画像データ６１，６２の撮影後のステップＳ８では区切識別情報が入力されず、放射線画像データ６３の撮影後のステップＳ８では区切識別情報が入力され付帯情報に含められる。よって、放射線画像データ６１〜６３が患者ＡのグループＧＡに区切られる。同様にして、放射線画像データ６４，６５が患者ＢのグループＧＢに区切られる。
【００６８】
写損識別情報は、放射線画像データの撮影の失敗を示す情報であり、写損理由を含めてもよい。写損理由は、例えば、ＦＰＤ１０に対する被検体のポジショニングが悪いため、撮影時の放射線の量の不足又は過多のため、被検体のネックレスなどの異物が写ったため、などである。図７では、放射線画像データ６４の撮影後のステップＳ８で写損識別情報が入力され、付帯情報７２に含められている。
【００６９】
画像回転情報は、放射線画像データに対し必要な回転方向及び回転量を示す情報であり、例えば、ＦＰＤ１０の縦方向の撮影において、被検体が大きい場合にＦＰＤ１０の横方向で撮影しておいて、後で右方向に９０度の回転が必要なことを示す情報や、撮影時に患部に対してＦＰＤ１０が回転してずれていた場合に、角度のずれ方向及びずれ量を示す情報である。
【００７０】
画像反転情報は、放射線画像データに対し必要な反転方向を示す情報であり、例えば、被検体を例外的に背面側から撮影し、診断で正面側からの画が欲しい場合に、正面側となる反転方向を示す情報である。操作者は、携帯端末２０で、操作部２２への操作入力により、表示中の放射線画像データを自在に回転、反転可能であるため、回転、反転後の放射線画像を確認しつつ、ステップＳ８の画像回転情報、画像反転情報を入力できる。
【００７１】
患者情報は、被検体の患者に関する情報である。テキスト情報は、操作者が自由に書き込む情報であり、例えば、右手の撮影が指示されていたが誤って左手を撮影したことを示す情報、操作者の独断で、指示された胸部だけでなく腹部も撮影したことを示す情報である。操作者情報は、操作者のＩＤ、名称などの情報である。
【００７２】
そして、携帯端末２０の制御部２１は、無線通信部２５を介して、ステップＳ８で入力された付帯情報をステップＳ６で受信された画像ＩＤに対応付けてＦＰＤ１０に送信する（ステップＳ９）。ＦＰＤ１０の制御部１１は、無線通信部１５を介して、画像ＩＤ及び付帯情報を携帯端末２０から受信する。
【００７３】
携帯端末２０では、ステップＳ３〜Ｓ９において、状態情報、画像ＩＤ、放射線画像データ及び付帯情報は、制御部２１のＲＡＭに一時的に記憶されるのみであって、記憶部２３には保存されない。というのは、放射線画像データ及び付帯情報などの患者を特定する情報の漏洩を防止するためである。また、ステップＳ９の実行後、制御部２１のＲＡＭに一時的に記憶されている状態情報、放射線画像データ、付帯情報などを消去する構成としてもよい。この構成では、携帯端末２０は、放射線撮影のたびに、状態情報、放射線画像データがＦＰＤ１０から取得される。さらに、制御部２１は、操作部２２を介する操作者からの操作情報に応じて、消去した状態情報、放射線画像データ、付帯情報などをＦＰＤ１０に要求してＦＰＤ１０から取得する構成としてもよい。
【００７４】
そして、ＦＰＤ１０の制御部１１は、ステップＳ５で保存された放射線画像データの画像ＩＤに対応付けて、ステップＳ９で受信された付帯情報を記憶部１３に保存する（ステップＳ１０）。そして、操作者は、放射線撮影を終了するか否かを判別する（ステップＳ１１）。放射線撮影を終了しない場合（ステップＳ１１；ＮＯ）、ステップＳ３に移行される。
【００７５】
放射線撮影を終了する場合（ステップＳ１１；ＹＥＳ）、操作者により、撮影後のＦＰＤ１０が撮影室に持ち込まれてクレードル５０に接続され、ＦＰＤ１０の制御部１１はメモリーモードから通常モードへ設定する。そして、撮影制御装置４０の制御部４１は、有線通信部４５を介して、ＦＰＤ１０と通信接続し通信を確立する（ステップＳ１２）。
【００７６】
そして、ＦＰＤ１０の制御部１１は、撮影された全ての画像ＩＤ、放射線画像データ及び付帯情報を記憶部１３から読み出し、有線通信部１６を介して、撮影制御装置４０に送信する（ステップＳ１３）。撮影制御装置４０の制御部４１は、有線通信部４５を介して、全ての画像ＩＤ、放射線画像データ及び付帯情報をＦＰＤ１０から受信する。
【００７７】
そして、撮影制御装置４０の制御部４１は、ステップＳ１３で受信された画像ＩＤ、放射線画像データ及び付帯情報を表示部４４に表示し、記憶部４３に保存する（ステップＳ１４）。ステップＳ１４では、例えば、制御部４１は、画像ＩＤごとの放射線画像データのサムネイルと、当該放射線画像データの写損識別情報がある場合に写損であることを示すアイコンとを、区切識別情報による患者のグループの区切りごとに表示し、操作部４２を介する操作者からのサムネイル、アイコンのクリック入力などの操作入力に応じて、放射線画像データ及び付帯情報を自在に選択して表示可能な画面ＵＩ（User Interface）で表示する。
【００７８】
そして、撮影制御装置４０の制御部４１は、有線通信部４５を介して、ステップＳ１４で画像ＩＤ、放射線画像データ及び付帯情報を記憶部４３に保存完了した旨の保存完了情報をＦＰＤ１０に送信する（ステップＳ１５）。そして、ＦＰＤ１０の制御部１１は、ステップＳ１３で送信した放射線画像データ及び付帯情報を記憶部４３から消去する（ステップＳ１６）。
【００７９】
ＦＰＤ１０の放射線画像データ及び付帯情報の消去後、撮影制御装置４０の制御部４１は、操作部４２を介する操作者から入力される操作情報に応じて、記憶部４３に記憶されている放射線画像データに画像調整を行う。画像調整は、例えば、放射線画像データに対して、診断用放射線画像データにするための画像処理を施したり、各種マーカーを重畳することに加え、付帯情報の画像回転情報、画像反転情報に応じた回転、反転の画像処理を施すことを含めるものとする。撮影制御装置４０の制御部４１は、通信部４６を介して、画像調整後の放射線画像データ、画像ＩＤ及び付帯情報を画像管理サーバーに送信して記憶させる。
【００８０】
以上、本実施の形態によれば、医用画像撮影システム１は、ＦＰＤ１０と、ＦＰＤ１０に通信接続される携帯端末２０と、を備える。ＦＰＤ１０は、入射された放射線から放射線画像データを生成する放射線撮像部１４と、生成された放射線画像データを記憶する記憶部１３と、を有する。携帯端末２０は、生成された放射線画像データに対応する付帯情報の操作入力を受け付ける操作部２２と、操作入力された付帯情報をＦＰＤ１０に送信する制御部２１と、を有する。ＦＰＤ１０は、付帯情報を受信し、付帯情報を前記記憶された放射線画像データに対応付けて記憶部１３に記憶する制御部１１を有する。
【００８１】
このため、携帯端末２０の操作入力により、放射線画像データの付帯情報を容易に生成でき、放射線画像データを付帯情報と対応付けて記憶できる。
【００８２】
また、付帯情報は、複数の放射線画像データをグルーピングするための区切識別情報を含む。このため、ＦＰＤ１０に操作ボタンやセンサーが不要であるので、ＦＰＤ１０のコストアップを防ぐことができ、センサーの精度が保証できない場合の患者取り違いのリスクの発生を防ぐことができ、操作者の慎重かつ煩雑な作業がないので、複数の放射線画像データを容易かつ正確にグルーピングできる。
【００８３】
また、携帯端末２０は、表示部２４を有する。制御部２１は、生成された放射線画像データをＦＰＤ１０から受信して表示部２４に表示させる。このため、操作者が放射線画像データを目視により確認でき、確認した放射線画像データに対応する適切な付帯情報を操作入力できる。
【００８４】
また、制御部１１は、放射線撮像部１４により放射線画像データが生成された場合に、生成された放射線画像データに画像ＩＤを付与し、放射線画像データを画像ＩＤに対応付けて記憶部１３に記憶し、放射線画像データ及び画像ＩＤを携帯端末２０に送信する。制御部２１は、放射線画像データ及び画像ＩＤをＦＰＤ１０から受信して放射線画像データを表示部２４に表示させる。操作部２２は、表示された放射線画像データに対応する付帯情報の操作入力を受け付ける。制御部２１は、操作入力された付帯情報と付帯情報に対応する画像ＩＤとをＦＰＤ１０に送信する。制御部１１は、送信された付帯情報及び画像ＩＤを受信し、当該画像ＩＤを用いて、記憶された放射線画像データに当該付帯情報を対応付けて記憶部１３に記憶する。このため、放射線画像データに付帯情報を正確に対応付けて記憶できる。
【００８５】
また、制御部２１は、受信された放射線画像データに、ＦＰＤ１０に依存する補正処理と、階調処理と、間引き処理との少なくとも１つの画像処理を施して表示部２４に表示させる。このため、ＦＰＤ１０、携帯端末２０の少なくとも一方に適する画像処理を施した放射線画像データを表示できる。
【００８６】
また、制御部２１は、ＦＰＤ１０に関する装置情報及び状態情報をＦＰＤ１０から受信して表示部２４に表示させる。このため、操作者が、ＦＰＤ１０に関する装置情報及び状態情報を目視により確認でき、確認した装置情報及び状態情報に対応する適切な付帯情報を操作入力できる。
【００８７】
また、付帯情報は、生成された放射線画像データの写損の有無を示す写損識別情報と、生成された放射線画像データに施す回転の方向及び量を示す画像回転情報と、生成された放射線画像データに施す反転の方向を示す画像反転情報と、の少なくとも１つを含む。このため、後の工程で用いる、写損識別情報、画像回転情報及び画像反転情報の少なくとも１つを含む適切な付帯情報を生成できる。
【００８８】
また、付帯情報は、生成された放射線画像データが再撮影であることを示す再撮影識別情報と、生成された放射線画像データに対応する患者に関する患者情報と、生成された放射線画像データに対応するテキスト情報と、生成された放射線画像データに対応する操作者に関する操作者情報と、の少なくとも１つを含む。このため、後の工程で用いる、再撮影識別情報、患者情報、テキスト情報及び操作者情報の少なくとも１つを含む適切な付帯情報を生成できる。
【００８９】
また、医用画像撮影システム１は、ＦＰＤ１０に通信接続される撮影制御装置４０をさらに備える。撮影制御装置４０は、記憶部４３と、放射線画像データの撮影後に、記憶部１３に記憶されている放射線画像データ及び付帯情報をＦＰＤ１０から受信して記憶部４３に保存する制御部４１と、を有する。このため、撮影制御装置４０において、放射線画像データ及び付帯情報を記憶でき、付帯情報に基づき、放射線画像データに回転、反転などの処理を行うことができる。
【００９０】
また、制御部４１は、放射線画像データ及び付帯情報を記憶部４３に保存後に、当該保存の保存完了情報をＦＰＤ１０に送信する。制御部１１は、保存完了情報を受信後に、保存された放射線画像データ及び付帯情報を記憶部１３から消去する。このため、放射線画像データ及び付帯情報を確実に保存できるとともに、ＦＰＤ１０の記憶可能な容量を回復でき、このＦＰＤ１０を次の放射線画像撮影に容易に用いることができる。
【００９１】
なお、上記実施の形態における記述は、本発明に係る好適な医用画像撮影システムの一例であり、これに限定されるものではない。
【００９２】
例えば、上記実施の形態では、携帯端末２０において、区切識別情報などを入力して付帯情報に含める構成としたが、これに限定されるものではない。携帯端末２０の制御部２１が、無線通信部２５を介して、保存済の画像ＩＤ、放射線画像データ及び付帯情報をＦＰＤ１０に要求してＦＰＤ１０から受信し、受信した画像ＩＤ、放射線画像データ及び付帯情報を表示部２４に表示して、区切識別情報を削除するなどの当該付帯情報の修正の指示入力を受け付けて修正し、修正後の付帯情報をＦＰＤ１０に送信して上書きすることにより、付帯情報を修正する構成としてもよい。
【００９３】
また、上記実施の形態では、ＦＰＤ１０で１枚の放射線画像データが生成されるごとに、携帯端末２０で当該１枚の放射線画像データに対応する付帯情報が入力される構成としたが、これに限定されるものではない。ＦＰＤ１０で患者単位などの複数枚の放射線画像データが生成されるごとに、携帯端末２０で当該複数枚分の付帯情報が入力される構成としてもよい。
【００９４】
また、上記実施の形態では、付帯情報を放射線画像データごとに対応付ける構成としたが、これに限定されるものではない。付帯情報を、検査など、他の情報ごとに対応付ける構成としてもよい。
【００９５】
また、以上の実施の形態における医用画像撮影システム１を構成する各部の細部構成及び細部動作に関して本発明の趣旨を逸脱することのない範囲で適宜変更可能である。
【符号の説明】
【００９６】
１  医用画像撮影システム
１０  ＦＰＤ
１１  制御部
１２  操作部
１３  記憶部
１４  放射線撮像部
１５  無線通信部
１６  有線通信部
１７  バス
２０  携帯端末
２１  制御部
２２  操作部
２３  記憶部
２４  表示部
２５  無線通信部
２６  バス
３０  回診車
３１０  放射線発生装置
３１１  放射線源
３１２  被爆スイッチ
３２０  放射線発生制御装置
３３０  ポケット
４０  撮影制御装置
４１  制御部
４２  操作部
４３  記憶部
４４  表示部
４５  有線通信部
４６  通信部
４７  バス
５０  クレードル
【図１】
2020151338.tif 000003
【図２】
2020151338.tif 000004
【図３】
2020151338.tif 000005
【図４】
2020151338.tif 000006
【図５】
2020151338.tif 000007
【図６】
2020151338.tif 000008
【図７】
2020151338.tif 000009